(57)【特許請求の範囲】
【請求項１】
発光管部及び外周面に角部を有する略多角形の発光管基部支持部を有する片口金蛍光灯が装着されるランプソケットを設けた器具本体と、略くの字形をした一対の支持片が互いに略対向する位置でくの字の中央突部を互いに外側へ向けて配置されて前記ランプソケットを挟むように前記器具本体に取付けた反射板支持ばねと、一端に透光開口を他端に取付け開口を設けた略筒状で前記取付け開口に前記発光管基部支持部及び前記反射板支持ばねを挿通するとともに前記取付け開口に前記支持片を係止した反射板とを備えた照明器具であって、
前記反射板支持ばねは、一対の支持片の近傍に基端部が隣り合うように配置され前記支持片とは逆向きの略くの字形をした一対の落下防止片を有し、
前記取付け開口と前記支持片が係止して前記反射板が支持された状態で、前記落下防止片が前記発光管基部支持部の外面から離れて位置し、かつ、前記発光管基部支持部が小型の片口金蛍光灯のとき、前記落下防止片が前記角部に対応するように配置され、前記発光管基部支持部が大型の片口金蛍光灯のとき、前記落下防止片が前記角部に対応しないように配置され、
前記反射板を前記反射板支持ばねから外そうとする外力による前記反射板支持ばねの変形に対して、前記落下防止片が前記発光管基部支持部の外面に当接して、前記反射板支持ばねの変形を阻止するようにしたことを特徴とする照明器具。
【請求項２】
発光管基部支持部が小型の片口金蛍光灯のとき、前記反射板支持ばねの変形に対して、前記落下防止片が前記発光管基部支持部の外面に当接し、発光管基部支持部が大型の片口金蛍光灯のとき、前記反射板支持ばねの変形に対して、前記落下防止片が前記発光管基部支持部の外面に当接して変形するとともに、前記支持片および変形した前記落下防止片の基端部とが前記発光管基部支持部の外面に当接する請求項１記載の照明器具。
【請求項３】
発光管基部支持部が大型の片口金蛍光灯において、前記片口金蛍光灯はランプソケットに差し込んだ後、回転させて装着され、反射板支持ばねの支持片と落下防止片は、ランプ装着時の回転方向に並んで隣接し、かつ前記落下防止片がランプ装着回転方向に対し先に位置するとともに装着された片口金蛍光灯の発光管基部支持部の角部が前記支持片と落下防止片との間に位置する請求項２記載の照明器具。
【発明の詳細な説明】
【０００１】
【発明の属する技術分野】
この発明は、片口蛍光灯用の照明器具に関するものである。
【０００２】
【従来の技術】
片口金蛍光灯は近頃、一層の小型化、高出力化が図られている。その際、ランプソケットに対する取付け関係は同一だが、発光管部及び発光管基部支持部の形状が異なる同出力の片口金蛍光灯が開発されている。しかし、従来においては、一種類の大きさの発光管基部支持部を有する片口金蛍光灯に対して照明器具が製造されている。
【０００３】
図１０は従来の片口金蛍光灯照明器具の断面側面図、図１１はその要部拡大図を示す。図１０において、５０は器具本体で、内部にランプソケット５１が設けてある。ランプソケット５１に接続される片口金蛍光灯５２は反射板５３で覆われ、この反射板５３は反射板支持ばね５４により支持されている。この場合、反射板支持ばね５４は、互いに対向する位置でランプソケット５１を挟むように略くの字形の一対の支持片５４ａ，５４ａを有し、これらの支持片５４ａが反射板５３の取付け開口５３ａに係止する（図１１）。また、図１１に示すように、ランプソケット５１に片口金蛍光灯５２を装着した状態で、反射板５３を反射板支持ばね５４から外そうとすると、一対の当接片５４ｂ，５４ｂが片口金蛍光灯５２の発光管基部支持部５２ａの外面に当接して反射板５３が外れるための変形を阻止する。これにより、片口金蛍光灯５２を接続した状態で反射板５３が外れないように構成している。
【０００４】
【発明が解決しようとする課題】
しかしながら、上記従来の照明器具において、発光管部及び発光管基部支持部の形状が小さい同出力の片口金蛍光灯を使用すると、反射板５３が外れるように反射板支持ばね５４を変形させても当接片５４ｂが発光管基部支持部の外面に当接しない、あるいは当接するまでに支持片５４ａの係止が外れてしまい、反射板５３が落下する可能性があった。また、これに伴い発光管部及び発光管基部支持部の形状が異なるごとにそれに対応する反射板支持ばねが必要となり部品点数が増加するという問題があった。
【０００５】
したがって、この発明の目的は、発光管部及び発光管基部支持部の形状が異なる同出力の片口金蛍光灯に対して、どちらの片口金蛍光灯がランプソケットに装着されても反射板の落下防止ができかつ部品点数を削減できる照明器具を提供することである。
【０００６】
【課題を解決するための手段】
請求項１記載の照明器具は、発光管部及び外周面に角部を有する略多角形の発光管基部支持部を有する片口金蛍光灯が装着されるランプソケットを設けた器具本体と、略くの字形をした一対の支持片が互いに略対向する位置でくの字の中央突部を互いに外側へ向けて配置されて前記ランプソケットを挟むように前記器具本体に取付けた反射板支持ばねと、一端に透光開口を他端に取付け開口を設けた略筒状で前記取付け開口に前記発光管基部支持部及び前記反射板支持ばねを挿通するとともに前記取付け開口に前記支持片を係止した反射板とを備えた照明器具であって、前記反射板支持ばねは、一対の支持片の近傍に基端部が隣り合うように配置され前記支持片とは逆向きの略くの字形をした一対の落下防止片を有し、前記取付け開口と前記支持片が係止して前記反射板が支持された状態で、前記落下防止片が前記発光管基部支持部の外面から離れて位置し、かつ、前記発光管基部支持部が小型の片口金蛍光灯のとき、前記落下防止片が前記角部に対応するように配置され、前記発光管基部支持部が大型の片口金蛍光灯のとき、前記落下防止片が前記角部に対応しないように配置され、前記反射板を前記反射板支持ばねから外そうとする外力による前記反射板支持ばねの変形に対して、前記落下防止片が前記発光管基部支持部の外面に当接して、前記反射板支持ばねの変形を阻止するようにしたことを特徴とする。
【０００７】
このように、反射板支持ばねは、一対の支持片の近傍に基端部が隣り合うように配置され支持片とは逆向きの略くの字形をした一対の落下防止片を有し、取付け開口と支持片が係止して反射板が支持された状態で、落下防止片が発光管基部支持部の外面から離れて位置し、かつ、発光管基部支持部が小型の片口金蛍光灯のとき、落下防止片が角部に対応するように配置され、発光管基部支持部が大型の片口金蛍光灯のとき、落下防止片が角部に対応しないように配置され、反射板を反射板支持ばねから外そうとする外力による反射板支持ばねの変形に対して、落下防止片が発光管基部支持部の外面に当接して、反射板支持ばねの変形を阻止するようにしたので、発光管部及び発光管基部支持部の形状の異なる同一出力の複数の片口金蛍光灯に対して、どちらの片口金蛍光灯がランプソケットに装着されても反射板の落下防止ができる。
【０００８】
請求項２記載の照明器具は、請求項１において、発光管基部支持部が小型の片口金蛍光灯のとき、前記反射板支持ばねの変形に対して、前記落下防止片が前記発光管基部支持部の外面に当接し、発光管基部支持部が大型の片口金蛍光灯のとき、前記反射板支持ばねの変形に対して、前記落下防止片が前記発光管基部支持部の外面に当接して変形するとともに、前記支持片および変形した前記落下防止片の基端部とが前記発光管基部支持部の外面に当接する。
上記の構成により小型の片口金蛍光灯を装着した場合、反射板の取付け開口と反射板支持ばねの支持片が係止して反射板が支持された状態では、落下防止片と発光管基部支持部の角部が対応するように配置し、落下防止片を発光管基部支持部の外面から離れて位置させ、反射板を反射板支持ばねから外そうとすると、反射板の取付け開口より内側へ押圧されて反射板支持ばねが変形するが、落下防止片が発光管基部支持部の外面に当接することによりそれ以上変形することを阻止し、支持片と取付け開口の係止を保持する。
【０００９】
また、大型の片口金蛍光灯を装着した場合、反射板が支持された状態では、落下防止片と発光管基部支持部の角部が対応しないように配置し、落下防止片を発光管基部支持部の外面から離れて位置させ、反射板を反射板支持ばねから外そうとすると、反射板の取付け開口より内側へ押圧されて反射板支持ばねが変形するが、落下防止片と、支持片および落下防止片の基端部とが発光管基部支持部の外面に当接することによりそれ以上変形することを阻止し、支持片と取付け開口の係止を保持する。
【００１０】
請求項３記載の照明器具は、請求項２において、発光管基部支持部が大型の片口金蛍光灯において、前記片口金蛍光灯はランプソケットに差し込んだ後、回転させて装着され、反射板支持ばねの支持片と落下防止片は、ランプ装着時の回転方向に並んで隣接し、かつ前記落下防止片がランプ装着回転方向に対し先に位置するとともに装着された片口金蛍光灯の発光管基部支持部の角部が前記支持片と落下防止片との間に位置する。
【００１１】
このように、発光管基部支持部が大型の片口金蛍光灯において、前記片口金蛍光灯はランプソケットに差し込んだ後、回転させて装着され、反射板支持ばねの支持片と落下防止片は、ランプ装着時の回転方向に並んで隣接し、かつ前記落下防止片がランプ装着回転方向に対し先に位置するとともに装着された片口金蛍光灯の発光管基部支持部の角部が前記支持片と落下防止片との間に位置するので、大型ランプの場合、発光管基部支持部の角部が落下防止片に当たってランプが外れる方向への回転防止となる。
【００１２】
【発明の実施の形態】
この発明の実施の形態の照明器具を図１ないし図９に基づいて説明する。
図１はこの発明の実施の形態の照明器具の断面側面図である。この照明器具は、埋め込みダウンライトであり、下面が開口した略円筒形の器具本体１の天板１ａにランプソケット２が設けてある。ランプソケット２に接続される片口金蛍光灯３は、図２および図３に示すような発光管部４及び発光管基部支持部５が小型の小型ランプＡと、図６および図７に示すような発光管部４及び発光管基部支持部５が大型の大型ランプＢがある。この場合、小型ランプＡの発光管部４は６本で、その発光管基部支持部５の外面は断面略六角形になっている。また、大型ランプＢの発光管部４は８本で、その発光管基部支持部５の外面は断面略八角形になっている。各ランプのランプＡ，Ｂの発光管基部支持部５の角部５ａは丸みを帯びており、大型ランプＢに関しては凹み５ｂを設けた面が形成してある。また、片口蛍光灯３は端子ピンをランプソケット２に差し込んだ後、図３等に示すように装着回転方向Ｃへ回転させて装着される。
【００１３】
上記片口金蛍光灯３は接続状態で反射板６で覆われ、この反射板６は反射板支持ばね７により支持される。反射板６は、一端に透光開口６ａを他端に取付け開口６ｂを設けた略筒状で、取付け開口６ｂにランプソケット２及び反射板支持ばね７が挿通される。
反射板支持ばね７は、略くの字形をした一対の支持片８，８が互いに略対向する位置でくの字の中央突部を互いに外側へ向けて配置されてランプソケット２を挟むように器具本体１の天板１ａに取付けてある。支持片８は取付け開口６ｂに係止して反射板６を支持する。また、一対の支持片８，８の近傍に支持片８とは逆向きの略くの字形をした一対の落下防止片９，９が形成してある。この場合、支持片８と落下防止片９は、ランプ装着時の回転方向に並んで隣接し、かつ落下防止片９がランプ装着回転方向Ｃに対し先に位置する。また、大型ランプＢに関しては、図７に示すように、装着された片口金蛍光灯３の発光管基部支持部５の角部５ａが支持片８と落下防止片９との間に位置する。
【００１４】
そして、上記反射板支持ばね７は、大型ランプＢの片口金蛍光灯３をランプソケット２に装着した状態で反射板６を反射板支持ばね７から外そうとすると、発光管基部支持部５の外面に当接して反射板支持ばね７の反射板６が外れるための変形を阻止する大型ランプ当接部と、小型ランプＡの片口金蛍光灯３の場合に同様に当接する小型ランプ当接部とを有する。この場合、小型ランプ当接部は落下防止片９であり、大型ランプ当接部は落下防止片９と、支持片８及び落下防止片９の基端部１０である。
【００１５】
つぎに、この照明器具の作用について説明する。図２および図３に示すように小型ランプＡを装着した場合、反射板６の取付け開口６ｂと反射板支持ばね７の支持片８が係止して反射板６が支持された状態では、落下防止片９は発光管基部支持部５の角部５ａと対応するように配置されてその外面から離れて位置する。この状態から図４に示すように、反射板６を反射板支持ばね７から外そうとすると、反射板６の取付け開口６ｂより内側へ押圧されて反射板支持ばね７が変形するが、落下防止片９が発光管基部支持部５の外面に当接することによりそれ以上変形することを阻止し、支持片８と取付け開口６ｂの係止を保持する。
【００１６】
また、図６および図７に示すように大型ランプＢを装着した場合、反射板６が支持された状態では、落下防止片９は発光管基部支持部５の角部５ａと対応しないように配置されてその外面から離れて位置する。この場合、落下防止片９が凹み５ｂと対応するので、発光管基部支持部５の外径が大きい場合でも対応できる。この状態から図８に示すように、反射板６を反射板支持ばね７から外そうとすると、反射板６の取付け開口６ｂより内側へ押圧されて反射板支持ばね７が変形するが、落下防止片９と、支持片８及び落下防止片９の基端部１０が発光管基部支持部５の外面に当接することによりそれ以上変形することを阻止し、支持片８と取付け開口６ｂの係止を保持する。これにより、小型ランプＡ及び大型ランプＢの何れの片口金蛍光灯３を装着した状態でも、反射板６を外すことができない。
【００１７】
また、照明器具の取付け時においては、反射板６を反射板支持ばね７に取付けた後、片口金蛍光灯３を取付ける。片口蛍光灯３は上記のようにランプソケット２に差し込んだ後、回転させて装着する。大型ランプＢの場合、図９（ａ）に示すような状態で片口金蛍光灯３を挿入し、（ｂ）に示すように角部５ａにより落下防止片９を変形させながら発光管基部支持部５をＣ方向へ回動させて装着する。このとき、装着された片口金蛍光灯３の発光管基部支持部５の角部５ａが支持片８と落下防止片９との間に位置するので、発光管基部支持部５の角部５ａが落下防止片９に当たって片口金蛍光灯３が外れる方向Ｄへの回転防止となり、片口金蛍光灯３が不意に外れることを防止できる。なお、ランプ交換時等において片口金蛍光灯３を外すときは、ランプ装着時と逆の手順で行えばよい。
【００１８】
以上のようにこの実施の形態によれば、反射板支持ばね７は、大型ランプＢをランプソケット２に装着した状態で反射板６を反射板支持ばね７から外そうとすると、発光管基部支持部５の外面に当接して反射板支持ばね７の反射板６が外れるための変形を阻止する大型ランプ当接部と、小型ランプＡの場合に同様に当接する落下防止片９からなる小型ランプ当接部とを有し、大型ランプ当接部を落下防止片９と、支持片８及び落下防止片９の基端部１０とで構成し、小型ランプ当接部を落下防止片９で構成したので、発光管部４及び発光管基部支持部５の形状の異なる同一出力の複数の片口金蛍光灯３に対して、どちらの片口金蛍光灯３がランプソケット２に装着されても反射板６の落下防止ができる。これにより、反射板６の落下防止部材の削減及びコストダウンを図ることができる。また、落下防止片９により反射板６の誤挿入防止、例えば片口金蛍光灯３を装着した状態での反射板６の取付けを防止できる。
【００１９】
なお、小型ランプＡと大型ランプＢの発光管４の本数は何本でもよい。また、発光管基部支持部５の外面は図示に限定されず角部５ａがあればよい。
【００２０】
【発明の効果】
この発明の照明器具によれば、反射板支持ばねは、一対の支持片の近傍に基端部が隣り合うように配置され支持片とは逆向きの略くの字形をした一対の落下防止片を有し、取付け開口と支持片が係止して反射板が支持された状態で、落下防止片が発光管基部支持部の外面から離れて位置し、かつ、発光管基部支持部が小型の片口金蛍光灯のとき、落下防止片が角部に対応するように配置され、発光管基部支持部が大型の片口金蛍光灯のとき、落下防止片が角部に対応しないように配置され、反射板を反射板支持ばねから外そうとする外力による反射板支持ばねの変形に対して、落下防止片が発光管基部支持部の外面に当接して、反射板支持ばねの変形を阻止するようにしたので、発光管部及び発光管基部支持部の形状の異なる同一出力の複数の片口金蛍光灯に対して、どちらの片口金蛍光灯がランプソケットに装着されても反射板の落下防止ができる。これに伴い、反射板の落下防止部材の削減およびコストダウンを図ることができ、また落下防止片による反射板の誤挿入防止ができる。
【００２１】
請求項２では、発光管基部支持部が小型の片口金蛍光灯のとき、反射板支持ばねの変形に対して、落下防止片が発光管基部支持部の外面に当接し、発光管基部支持部が大型の片口金蛍光灯のとき、反射板支持ばねの変形に対して、落下防止片が発光管基部支持部の外面に当接して変形するとともに、支持片および変形した落下防止片の基端部とが発光管基部支持部の外面に当接するので、小型の片口金蛍光灯を装着した場合、反射板の取付け開口と反射板支持ばねの支持片が係止して反射板が支持された状態では、落下防止片と発光管基部支持部の角部が対応するように配置し、落下防止片を発光管基部支持部の外面から離れて位置させ、反射板を反射板支持ばねから外そうとすると、反射板の取付け開口より内側へ押圧されて反射板支持ばねが変形するが、落下防止片が発光管基部支持部の外面に当接することによりそれ以上変形することを阻止し、支持片と取付け開口の係止を保持する。
【００２２】
また、大型の片口金蛍光灯を装着した場合、反射板が支持された状態では、落下防止片と発光管基部支持部の角部が対応しないように配置し、落下防止片を発光管基部支持部の外面から離れて位置させ、反射板を反射板支持ばねから外そうとすると、反射板の取付け開口より内側へ押圧されて反射板支持ばねが変形するが、落下防止片と、支持片および落下防止片の基端部とが発光管基部支持部の外面に当接することによりそれ以上変形することを阻止し、支持片と取付け開口の係止を保持する。
【００２３】
請求項３では、発光管基部支持部が大型の片口金蛍光灯において、片口金蛍光灯はランプソケットに差し込んだ後、回転させて装着され、反射板支持ばねの支持片と落下防止片は、ランプ装着時の回転方向に並んで隣接し、かつ前記落下防止片がランプ装着回転方向に対し先に位置するとともに装着された片口金蛍光灯の発光管基部支持部の角部が前記支持片と落下防止片との間に位置するので、大型ランプの場合、発光管基部支持部の角部が落下防止片に当たってランプが外れる方向への回転防止となる。
【図面の簡単な説明】
【図１】この発明の実施の形態の照明器具の断面正面図である。
【図２】この発明の実施の形態で小型ランプを装着した際の反射板の支持状態の断面正面図である。
【図３】図２の底面図である。
【図４】この発明の実施の形態で小型ランプを装着した際の作用説明図である。
【図５】この発明の実施の形態における反射板支持ばねの一部破断側面図である。
【図６】この発明の実施の形態で大型ランプを装着した際の反射板支持状態の断面正面図である。
【図７】図６の底面図である。
【図８】この発明の実施の形態において大型ランプを装着した際の作用説明図である。
【図９】（ａ）はランプ挿入時の説明図、（ｂ）はランプ装着時の説明図である。
【図１０】従来例の照明器具の断面正面図である。
【図１１】従来例の照明器具の作用および問題点を示す説明図である。
【符号の説明】
１    器具本体
２    ランプソケット
３    片口金蛍光灯
４    発光管部
５    発光管基部支持部
５ａ  角部
６    反射板
６ａ  透光開口
６ｂ  取付け開口
７    反射板支持ばね
８    支持片
９    落下防止片
【図１】
0003796924.tif 000002
【図２】
0003796924.tif 000003
【図３】
0003796924.tif 000004
【図４】
0003796924.tif 000005
【図５】
0003796924.tif 000006
【図６】
0003796924.tif 000007
【図７】
0003796924.tif 000008
【図８】
0003796924.tif 000009
【図９】
0003796924.tif 000010
【図１０】
0003796924.tif 000011
【図１１】
0003796924.tif 000012